(57)【要約】【課題】従来のごみ箱は、生ごみなどの水気のあるごみを捨てる際に包む古新聞を収納することができないので、ごみ箱の一部に包み紙収納体を設けたごみ箱を提供する。【解決手段】ごみ箱１を形成するごみ収納体２の外周に、一回り大きくかつ前記ごみ収納体２より一段低い包み紙収納体４を一体形成した包み紙収納部付きごみ箱を構成する。【選択図】図１
2005200210.tif 000002
【特許請求の範囲】
【請求項１】
ごみ箱を形成するごみ収納体の外周に、生ごみを包む古新聞などを収納できる包み紙収納体を設けた構成を特徴とする包み紙収納部付きごみ箱。
【請求項２】
包み紙収納体が、ごみ収納体と着脱分離する構成である請求項１に記載する包み紙収納部付きごみ箱。
【請求項３】
包み紙収納体が、ごみ収納体の半周部位に位置する構成である請求項１又は請求項２に記載する包み紙収納部付きごみ箱。
【請求項４】
包み紙収納体が、同一形状を成す二つの包み紙収納体を向かい合わせに組み合わせた構成である請求項２に記載する包み紙収納部付きごみ箱。
【請求項５】
包み紙収納体の一部に、ごみ袋収納部を設けた構成である請求項１から請求項４のいずれかに記載する包み紙収納部付きごみ箱。
【発明の詳細な説明】
【技術分野】
【０００１】  本発明は、生ごみや匂いの強いごみを捨てする際に、水分の吸収や匂いを閉じ込めて包むための古新聞等の包み紙を収納することができるごみ箱に関する。
【背景技術】
【０００２】  従来、家庭から出るごみはあらかじめごみ袋をセットしたごみ箱に捨てるが、その際に台所から出る生ごみの多くは水気が多いのでそのまま捨てると、焼却するのに時間が掛かることや焼却炉を傷める要因ともなるので、行政においては、できるだけ生ごみは水切りをしてから捨てるように奨励している。その水切りの方法としては、キッチンの一部に配置される三角籠に生ごみを入れて水を切り、さらにごみ箱に捨てる際は古新聞などで包んでから捨てることで、余分な水分を吸収して処理できるようにしている。【０００３】  また趣味の模型製作や日曜大工等の塗装時に用いた布や部材、その他、匂いの強い薬品などが付着した布や紙などをそのままごみ箱に捨てると匂いが放散するので、袋に入れたり古新聞などで包んでから捨てるのが一般的である。
【発明の開示】
【発明が解決しようとする課題】
【０００４】  上記するような方法で生ごみの水切りや匂いの強いごみの処理をしており、特に古新聞は包む材料としては丁度よい大きさであるうえ、水気を吸収するにはきわめて効果的な素材である。しかし古新聞は普段は特定の収納ケースに入れるか、押入れや廊下の片隅に畳まれたまま置かれているため、生ごみを包む際はそのつど古新聞を取りに行ったり、広げたりしてから包む必要があるので大変面倒であった。そのため時には水気のある生ごみであっても直接ごみ箱に捨てることも多かった。加えて従来のごみ箱においては、古新聞などの包み紙を収納できるごみ箱やその技術も提供されていなかった。
【課題を解決するための手段】
【０００５】  本発明は上記する課題を解消するために成されるものであり、請求項１においては、ごみ箱を形成するごみ収納体の外周に、生ごみを包むための古新聞を広げたまま収納できる包み紙収納体を設けたごみ箱を構成することで、必要な時にいつでも生ごみや匂いの強いごみを包んで捨てられる包み紙収納部付きごみ箱を構成する。【０００６】  請求項２においては、上記するごみ収納体体と包み紙収納体が着脱分離できる構成にすることにより、洗浄しやすくかつ分離して単独に使えるごみ箱とする。【０００７】  請求項３においては、上記する包み紙収納体の大きさを、ごみ収納体の半周部位に位置することでごみ箱を軽くする。【０００８】  請求項４においては、同一形状の二つの包み紙収納体をごみ収納体の両側に組み合わせることで、異なる種類の包み紙を別けて収納できるごみ箱とする。【０００９】  請求項５においては、上記する包み紙収納体の一部にごみ袋収納部を設けることで、ごみ処理に必要な物がセットで収納できるごみ箱とする。
【発明の効果】
【００１０】  本発明におけるごみ箱は、ごみ収納体の外周に古新聞を広げたまま立てた状態で収められる包み紙収納体を設けているので、水気のある生ごみや匂いの強いごみを捨てる際はいつでも直に古新聞を取り出して包むことが可能であるため、大人はもとより子供や高齢者でも面倒がらずに生ごみや匂いの強いごみを包んで捨てられるので、古新聞の有効利用とごみ処理のマナーも身に付く包み紙収納部付きごみ箱である。【００１１】  さらにごみ収納体と包み紙収納体が分離できるタイプは、設置場所のスペースが狭い場合は分離して単独に使うことができる。また包み紙収納体が二つ組み合わされるタイプは、古新聞以外の素材による包み紙を別けて収納できる。加えて、包み紙収納体の一部にごみ袋収納部を設けているタイプは、ごみ処理の際に必要な古新聞とともにごみ袋も合わせてセットで収納できるごみ箱を構成するので、従来には見られない機能的なごみ箱を提供する。
【発明を実施するための最良の形態】
【００１２】  ごみ箱の外周に、広げた古新聞を立てた状態で一定枚数収納することができる包み紙収納体を設けることで、生ごみや匂いの強いごみを捨てる際に直に古新聞を取り出して包んで捨てることができるごみ箱を構成する。
【実施例１】
【００１３】  本発明における実施例１のごみ箱を、図１に示す斜視図と図２に示す縦断面図、図３の使用状態を示す参考図を参照して説明する。実施例１におけるごみ箱１は円形のごみ収納体２の外周に、一回り大きくかつ前記ごみ収納体２より一段低く形成される収納部３付き包み紙収納体４を、前記ごみ収納体２と一体形成した包み紙収納部付きのごみ箱を構成する。【００１４】  実施例１のごみ箱１は、ごみ収納体２の外周に、一定枚数の古新聞が収まる一段低い包み紙収納体４を設けたごみ箱１であるので、図３に示すように古新聞Ａを広げたまま立てた状態で収められるとともに、取り出す時は必要枚数を一度に取り出せる包み紙収納部付きごみ箱である。
【実施例２】
【００１５】  実施例２におけるごみ箱を図４に示す分解斜視図と図５に示す断面図を参照しながら説明する。本実施例によるごみ箱１は前記実施例１と外観的には同じであるが、ごみ収納体２と包み紙収納体４ａが分離組み合わせできるタイプである。ごみ収納体２は外側の底部に凹部５を設け、他方の包み収納体４ａの底面には、前記ごみ収納体２の凹部５に嵌合する凸部６を設けた包み紙収納体４ａに、前記したごみ収納体２を組み合わせたごみ箱１を構成する。【００１６】  本実施例によるごみ箱１は、ごみ収納体２と包み紙収納体４ａが分離できるタイプであるので、洗浄する時は分離して洗うことができ、また必要なら分離した２つをごみ入れ容器としても使える。
【実施例３】
【００１７】  実施例３のごみ箱を図６に示す斜視図を参照して説明する。本実施例におけるごみ箱１は平面形状が矩形状とし、そのごみ収納体２の外側半周部位に、平面形状がコの字状を成す収納部３付き包み紙収納体４ｂを、前記ごみ収納体２と一体形成したごみ箱１を構成する。【００１８】  本実施例におけるごみ箱１は、ごみ収納体２の半周部位に包み紙収納体４ｂを一体形成して、包み紙収納体４ｂは前記タイプより約半分の大きさになるので、さらに軽いごみ箱１を構成することができる。
【実施例４】
【００１９】  実施例４のごみ箱を図７に示す分解斜視図と図８に示す縦断面図を参照して説明する。本実施例によるごみ箱１は、ごみ収納体２と平面形状が円弧状の包み紙収納体４ｃを分離組み合わせできるタイプである。ごみ収納容体２は外側の底面に凹部５を設け、他方、網板７で形成される包み紙収納体４ｃの下部には、前記ごみ収納体２の底面の凹部５に嵌まる凸部６付き基板８を設けて成る包み紙収納体４ｃを、前記ごみ収納体２に組み合わせたごみ箱１を構成する。【００２０】  実施例４のごみ箱１は、ごみ収納体２と、その外周の半分に相当する包み紙収納体４ｃが分離できる構成であるため、設置場所のスペースが狭い場合や取り外して別々に使いたい時は簡単にごみ収納体２から分離して使うことも可能である。また包み紙収納体４ｃは網板７で形成されているのでその分軽くすることができ、またデザイン的にも美しい包み紙収納体４ｃ付きごみ箱１を構成する。
【実施例５】
【００２１】  実施例５のごみ箱を図９に示す分解斜視図と図１０に示す縦断面図を参照しながら説明する。本実施例におけるごみ箱１は、ごみ収納体２の外周に、円弧状を成す二つの包み紙収納体４ｄ，４ｄを組み合わせるものである。まずごみ収納体２は前記した分離タイプ同様に外側底面に凹部５を設け、他方、二つの包み紙収納体４ｄ，４ｄの下部には、前記ごみ収納体２の凹部５の半分に相当する、半円状の突部６付き基板８を取り付けて成る包み紙収納体４ｄの両サイド上下に、突起９とそれが嵌まる係合穴１０を交互に設けた二つの包み紙収納体４ｄ，４ｄを組み合わせた後に、前記したごみ収納体２を組み合わせたごみ箱１を構成する。【００２２】  本実施例によるごみ箱１は、前記実施例４に示すタイプと同様の包み紙収納体４ｄの二つを組み合わせると、突起９と係合穴１０により円筒状に形成され、そのうえでごみ収納体２を組み合わせると、両側に単独形成される二つの収納部３，３付き包み紙収納体４ｄ，４ｄを形成するため、古新聞を２カ所に収められるとともに、異なる素材の包み紙を別けて収めることができる。
【実施例６】
【００２３】  実施例６のごみ箱を図１１に示す斜視図を参照して説明する。本実施例のごみ箱１は前記実施例１タイプと同様のごみ箱１とし、そのごみ収納体２の外周に設けた包み紙収納体４の一部に、ごみ袋を保管できるごみ袋収納部１１を一体形成したごみ箱１を構成する。【００２４】  本実施例のごみ箱１を形成する包み紙収納体４の一部に、ごみ収納体２にセットするごみ袋を収められるごみ袋収納部１１を設けているので、包み紙の収納機能とともにごみ袋も収納できるため、ごみ処理に用いる物一式をセットできるごみ箱１である。【００２５】  本発明によるごみ箱１は以上のような構成とするが、別途に組み合わされる蓋については説明していないが、蓋のない室内用又は蓋を組み合わせる屋外配置型いずれであっても、上記するようにごみ収納体２の外周に包み紙を収納できる構成であれば差し支えないものである。加えて実施例５に示すタイプは、二つの包み紙収納体４ｄ，４ｄは突起９と係合穴１０により組み合わせるが、磁石や他の係合部材を採用してもよく、いずれも特に限定されるものではない。
【産業上の利用可能性】
【００２６】  果物など収穫する際に用いる籠や容器の外周に、包み紙やクッションシートなどを収められる収納体を設けた籠や容器にも適用できる。
【図面の簡単な説明】
【００２７】
【図１】本発明の実施例１のごみ箱を示す斜視図である。
【図２】実施例１の縦断面図である。
【図３】実施例１のごみ箱の使用状態を示す参考図である。
【図４】実施例２のごみ箱を示す分解斜視図である。
【図５】実施例２ごみ箱の縦断面図である。
【図６】実施例３のごみ箱を示す斜視図である。
【図７】実施例４のごみ箱を示す分解斜視図である。
【図８】実施例４のごみ箱を示す縦断面図である。
【図９】実施例５のごみ箱を示す分解斜視図である。
【図１０】実施例５のごみ箱を示す縦断面図である。
【図１１】実施例６のごみ箱を示す斜視図である。
【符号の説明】
【００２８】  １  ごみ箱
２  ごみ収納体
３  収納部
４  包み紙収納体
４ａ  包み紙収納体
４ｂ  包み紙収納体
４ｃ  包み紙収納体
４ｄ  包み紙収納体
５  凹部
６  凸部
７  網板
８  基板
９  突起
１０  係合穴
１１  ごみ袋収納部
Ａ  古新聞
【図１】
2005200210.tif 000003
【図２】
2005200210.tif 000004
【図３】
2005200210.tif 000005
【図４】
2005200210.tif 000006
【図５】
2005200210.tif 000007
【図６】
2005200210.tif 000008
【図７】
2005200210.tif 000009
【図８】
2005200210.tif 000010
【図９】
2005200210.tif 000011
【図１０】
2005200210.tif 000012
【図１１】
2005200210.tif 000013